(57)【要約】【課題】一般照明、緊急照明及び懐中電灯の照明に使われる多機能充電可能なＬＥＤランプセットの提供。【解決手段】一般照明、緊急照明及び懐中電灯の照明に使われる多機能充電可能なＬＥＤランプセットであって、電池の収納に用いられる収納空間を備えるランプ台と、ランプ台に連結され、光が通せる材料から作られたランプフードと、ランプ台内に設置され、かつ最少一つの発光ダイオードが設けられてあるランプ台回路基板と、電池の正、負極と接触し、電流を伝送してランプ台回路基板のＬＥＤランプセットを駆動して発光させることに用いられる接続回路板と、取り外して電池を据え置くことができる底座継ぎ手とを含み、ランプセットは直接ＡＣ電源から受電してＬＥＤランプを発光させ、かつ同時にランプセット内の充電電池に対して充電を行うことができるので、ＡＣ電源が遮断された場合、ＤＣ電源の電池セットはＬＥＤランプセットに電力を提供して停電しない特性を保持することができる。【選択図】図５
0003156917.tif 000002
【実用新案登録請求の範囲】
【請求項１】
一般照明、緊急照明及び懐中電灯の照明に使われる多機能充電可能なＬＥＤランプセット（ｌａｍｐ  ｓｅｔ）であって、
電池の収納に用いられる収納空間を備え、それにはスイッチ（ｓｗｉｔｃｈ）が設けられ、かつスイッチはそれの外側に露出して電池のオン（ｏｎ）またはオフ（ｏｆｆ）の制御に用いられるランプ台と、
ランプ台に連結され、光が通せる材料から作られたランプフード（ｈｏｏｄ）と、
ランプ台内に設置され、かつ最少一つの発光ダイオード（ｄｉｏｄｅ）が設けられてあるランプ台回路基板と、
電池の正、負極と接触してランプ台内に設置され、ランプ台回路基板の下に位置し、かつランプボード（ｂｏａｒｄ）に連結されて電流を伝送し、ランプ台回路基板のＬＥＤランプセットを駆動して発光させることに用いられる接続回路板と、
ランプ台内にねじ付けられ、他の部材との連結に用いられる取り付け環と、
取り付け環に設置され、回路に電気を通して点灯させる底座継ぎ手とを備え、
ＡＣ給電またはＤＣ給電を用いてＬＥＤ発光の効果を達成し、底座継ぎ手は取り外し可能で電池を取り付けることができ、ランプセットは直接ＡＣ電源を受電してＬＥＤランプを発光させ、かつ同時にランプセット内の充電電池に対して充電を行うことができるので、ＡＣ電源が遮断された場合、ＤＣ電源の電池セットはＬＥＤランプセットに電力を提供して停電しない特性を保持することができることを特徴とする一般照明、緊急照明及び懐中電灯の照明に使われる多機能充電可能なＬＥＤランプセット。
【請求項２】
前記ランプセットは一般の懐中電灯として随所に移動されて使用することができ、照明の目的が達成されることを特徴とする請求項１記載のＬＥＤランプセット。
【請求項３】
前記底座継ぎ手は、電線規格におけるＥ２６、Ｅ２７．２線またはＧＵ１０またはＰＬランプ中のいかなる一種で、対応する入力源に転換することができることを特徴とする請求項１記載のＬＥＤランプセット。
【請求項４】
前記電池は一般電池または充電電池中の一種であることを特徴とする請求項１記載のＬＥＤランプセット。
【請求項５】
一般照明、緊急照明及び懐中電灯の照明に使われる多機能充電可能なＬＥＤランプセットであって、それが緊急照明に使われて停電しない特性を保持する場合に、
システム（ｓｙｓｔｅｍ）に必要とする電力の提供に用いられるＡＣ電源と、
ＡＣ電源が入力された場合、Ａ、Ｃ点は導通されて直接ＡＣ電源からＬＥＤランプセットに提供して発光させ、逆に、ＡＣ電源が遮断された場合、Ａ、Ｃ点は導通されなく、Ａ、Ｂ点が自動的に導通され、直接電池からＬＥＤランプセットに電源が提供されて発光させる自動スイッチと、
自動スイッチがオンされた場合、ＡＣ電源からの電力を受電して充電することができ、充電指示ランプに連接される充電電池と、
直流（ＤＣ）電源を交流（ＡＣ）電源に転換し、ＬＥＤの使用に用いられる直交流転換器と、
自動スイッチが起動された場合は切り替えられて懐中電灯ランプセットの発光オン、オフスイッチに使用される外露スイッチ装置と、
ＡＣ電源または直交流転換器からの電流を受電する最少一つの電源駆動装置と、
対応する電源駆動装置に連接され、電源駆動装置に駆動されて光を発出する最少一つのＬＥＤランプセットとを含む回路システムを備えることを特徴とする一般照明、緊急照明及び懐中電灯の照明に使われる多機能充電可能なＬＥＤランプセット。
【請求項６】
一般照明、緊急照明及び懐中電灯の照明に使われる多機能充電可能なＬＥＤランプセットであって、
入力端の整流器からのＤＣ電流がそれを経由し、入力された電流に過大電流及び逆電流が生じないことを防止する保護回路と、
保護回路からの電流を受電し、電気エネルギー（ｅｎｅｒｇｙ）を電池セットに儲存する電池セットと、
電池セットから出力された電流を低電圧から高電圧に転換する変圧器と、
ＡＣ電源及び電池セットの直交流転換器からの電流を受電して電流の切り替えを行い、システムはＡＣ電源または電池セットからの電流を選択使用し、それから電流を次の交直流転換器に伝送し、交流電気を直流電気に転換してＬＥＤセットに提供し、ＬＥＤセットを駆動してＬＥＤセットを発光させるリレー（ｒｅｌａｙ）とを備えることを特徴とする一般照明、緊急照明及び懐中電灯の照明に使われる多機能充電可能なＬＥＤランプセット。
【請求項７】
前記入力端の整流器のブリッジ（ｂｒｉｄｇｅ）式整流回路の出口端は保護回路の一入力端に連接されて電流を電池セットに提供し、前記入力端の整流器のブリッジ式整流回路の出口端は外にキャパシタンス（ｃａｐａｃｉｔａｎｃｅ）及びダイオードを経由してトランジスター（ｔｒａｎｓｉｓｔｏｒ）のエミッター（ｅｍｉｔｔｅｒ）端に連接され、トランジスターのコレクター（ｃｏｌｌｅｃｔｏｒ）は電池セットの出力端に連接し、トランジスターのベース（ｂａｓｅ）はそれぞれ変圧器の両端に連接し、かつダイオードを経てキャパシタンスを経て入力端の整流器に連接されることを特徴とする請求項６記載のＬＥＤランプセット。
【請求項８】
各ＬＥＤの電流出力端は限流抵抗に連接され、それによって各ＬＥＤの電圧は安全許容範囲内にあって過大電流の現象がないことを特徴とする請求項６記載のＬＥＤランプセット。
【請求項９】
前記リレーと各交直流転換器の間にキャパシタンス及び抵抗を並列し、前記キャパシタンス及び抵抗は並列方式をもってリレーと交直流転換器の間に連接され、それによってＬＥＤへ進入する電圧を調整することを特徴とする請求項６記載のＬＥＤランプセット。
【請求項１０】
前記交直流転換器はブリッジ式整流回路を使用したことを特徴とする請求項６記載のＬＥＤランプセット。
【請求項１１】
前記ＬＥＤランプは直列方式をもって排列され、それには合わせて８０個のＬＥＤランプが使用され、４０個を一組とし、各組は更に十の次組に分けられ、各次組は互いに直列接続し、各次組は更に二つの並列される小組に分けられ、各小組は限流抵抗に直列連結され、この限流抵抗は各ＬＥＤに分配された電圧をＬＥＤの安全作業範囲内に制限することを特徴とする請求項１記載のＬＥＤランプセット。
【考案の詳細な説明】
【技術分野】
【０００１】
本考案はＬＥＤランプセットに関するもので、特に一般照明、緊急照明及び懐中電灯の照明に使われる多機能充電可能なＬＥＤランプセットを指し、それの主要特徴は停電しない特性を保持し、かつ一般の懐中電灯として随所に移動されて使用することができ、緊急照明の目的が達成されることである。
【背景技術】
【０００２】
近年来、世界各地に地球温暖化の現象が現れ、各国政府は地球の生態を擁護するよう極力エネルギーの節減及び二酸化炭素の減少を呼びかけ、そのためにエネルギーの節減に関連する製品はますます重視され、日常生活に使われる電球も極めて重視される一環となり、ＬＥＤ照明をもって伝統的電球と入れ替わる方式も時勢に応じて発生している。
【０００３】
従来技術中の中華民国特許公示番号Ｍ３４０３８８は機械式切り替えスイッチであり、それは懐中電灯のＬＥＤランプのランプ台の回路基板が取り付けられているランプフードと電池が取り付けてあるスリーブの間に取り付けられ、スリーブとランプフードは繰り返しの往復移動を行うことができ、機械式切り替えスイッチは弾性部材と接続ユニット（ｕｎｉｔ）を含み、接続ユニットは回路板の第二面に最少二つの抵抗が設けられ、並びに回路板の第一面と電池の正極が導通する中心正極接点と並列連結し、かつ回路板の第二面は正極と電気性に連接し、並びに同方向に最少二つの長さの違う接点が設けられてある。
【考案の開示】
【考案が解決しようとする課題】
【０００４】
そこで、本考案の目的は上述従来の技術上の問題を解決することであり、本考案では一般照明、緊急照明及び懐中電灯の照明に使われる多機能充電可能なＬＥＤランプセットを提出し、それの主要特徴は停電しない特性を保持し、かつ一般の懐中電灯として随所に移動して使用することができ、緊急照明の目的が達成される。
【課題を解決するための手段】
【０００５】
上記課題を解決するべく、本考案では一般照明、緊急照明及び懐中電灯の照明に使われる多機能充電可能なＬＥＤランプセット（ｌａｍｐ  ｓｅｔ）であって、電池の収納に用いられる収納空間を備え、それにはスイッチ（ｓｗｉｔｃｈ）が設けられ、かつスイッチはそれの外側に露出して電池のオン（ｏｎ）またはオフ（ｏｆｆ）の制御に用いられるランプ台と、ランプ台に連結され、光が通せる材料から作られたランプフード（ｈｏｏｄ）と、ランプ台内に設置され、かつ最少一つの発光ダイオード（ｄｉｏｄｅ）が設けられてあるランプ台回路基板と、電池の正、負極と接触してランプ台内に設置され、ランプ台回路基板の下に位置し、かつランプボード（ｂｏａｒｄ）に連結されて電流を伝送し、ランプ台回路基板のＬＥＤランプセットを駆動して発光させることに用いられる接続回路板と、ランプ台内にねじ付けられ、他の部材との連結に用いられる取り付け環と、取り付け環に設置され、回路に電気を通して点灯させる底座継ぎ手とを備え、ＡＣ給電またはＤＣ給電を用いてＬＥＤ発光の効果を達成し、底座継ぎ手は取り外し可能で電池を取り付けることができ、ランプセットは直接ＡＣ電源を受電してＬＥＤランプを発光させ、かつ同時にランプセット内の充電電池に対して充電を行うことができるので、ＡＣ電源が遮断された場合、ＤＣ電源の電池セットはＬＥＤランプセットに電力を提供して停電しない特性を保持することができることを特徴とする一般照明、緊急照明及び懐中電灯の照明に使われる多機能充電可能なＬＥＤランプセットを提供する。
【図面の簡単な説明】
【０００６】
【図１】本考案の立体分解図である。
【図２】本考案の立体図である。
【図３】本考案の断面図である。
【図４】図４（Ａ）は本考案中の部材の意表図であり、図４（Ｂ）は本考案中の部材の意表図である。
【図５】本考案の回路システムのブロックダイアグラムである。
【図６】本考案の回路の構造図である。
【図７】本考案の実施例の意表図であり、本考案中のＬＥＤランプが直列連結された例を示す。
【考案を実施するための最良の形態】
【０００７】
図１から図４に示す本考案の一般照明、緊急照明及び懐中電灯の照明に使われる多機能充電可能なＬＥＤランプセットのランプの実体構造図を参照する。それには次のものを含む。
【０００８】
ランプ台１、それには電池１０２の収納に用いられる収納空間１０１を備える。ランプ台にはスイッチ１０３が設けられ、かつスイッチはランプ台の外に露出し、電池のオンまたはオフの制御に用いられる。
【０００９】
電池１０２は一般の電池または充電可能な電池でよい。本考案の特徴は電池をランプ台に据え置くことで、ランプセットを取り外した場合、ランプには自己給電の能力があるので、それの効能は懐中電灯と同じである。
【００１０】
ランプフード２、それはランプ台１に連結され、光の通る材料から作られる。
【００１１】
ランプ台回路基板３、それはランプ台内に設置され、かつランプ台回路基板３には最少一つの発光ダイオード（Ｌｉｇｈｔ  Ｅｍｉｔｔｉｎｇ  Ｄｉｏｄｅ，以下ＬＥＤと称す）３０１が設けられてある。
【００１２】
接続回路板４、それは電池の正、負極と接触し、接続回路板４はランプ台内に設置されてランプ台回路基板３の下に位置し、かつランプボードに連結されて電流を伝送し、ランプ台回路基板３のＬＥＤを駆動して発光させることに用いられる。
【００１３】
取り付け環５、それはランプ台内にねじ付けられ、他の部材との連結に用いられる。
【００１４】
底座継ぎ手６、それは取り付け環５に設置され、回路を導通して点灯させる。
【００１５】
本考案の特徴はＡＣ給電またはＤＣ給電を用いることができ、ＬＥＤを発光させる効果が得られ、底座継ぎ手は取り外し可能であり、充電電池または一般電池を直列方式によって据え置き、ランプセットは直接ＡＣ電源を受電してＬＥＤランプを発光させ、かつ同時にランプセット内の充電電池に対して充電を行うことができるので、ＡＣ電源が遮断された場合、ＤＣ電源の電池セットはＬＥＤランプに電力を提供し、停電しない特性を保持することができるので、ランプセットは一般の懐中電灯として随所に移動して使用することができ、照明の目的が達成される。
【００１６】
前記底座継ぎ手は多種違う継ぎ手を備え、Ｅ２６、Ｅ２７．２線またはＧＵ１０またはＰＬランプの各種形式に対応して違う入力源に転換することができる。なおＥ２６、Ｅ２７．２線は電線規格の一種である（家庭用電気コードの電線規格）。
【００１７】
図５に示す本考案の機能ブロックダイアグラム（ｂｌｏｃｋ  ｄｉａｇｒａｍ）を参照ください。本考案は更に回路システムを備え、それは次のものを含む。
【００１８】
ＡＣ電源１５、それはシステムに必要とする電力の提供に用いられる。
【００１９】
自動スイッチ２５、それはＡＣ電源１５が入力された場合、Ａ、Ｃ点は導通されて直接ＡＣ電源１５からＬＥＤランプセットに提供して発光させ、逆に、ＡＣ電源が遮断された場合、Ａ、Ｃ点は導通されなく、Ａ、Ｂ点は自動的に導通され、直接電池からＬＥＤランプセットに電源が提供されて発光させる。
【００２０】
充電電池３５、ＡＣ電源１５が入力された場合、直ちに自動に充電する。充電電池は充電指示ランプ４５に連接される。
【００２１】
直交流転換器６５、それは直流（ＤＣ）電源を交流（ＡＣ）電源に転換し、ＬＥＤの使用に用いられる。
【００２２】
外露スイッチ装置５５、自動スイッチ２５が起動された場合は切り替えられて懐中電灯セットの発光オン、オフスイッチに使用される。
【００２３】
最少一つの電源駆動装置７５、それはＡＣ電源または直交流転換器からの電流を受電する。
【００２４】
最少一つのＬＥＤセット８５、各ＬＥＤセットは対応する電源駆動装置に連接される。それは電源駆動装置に駆動されて発光する。
【００２５】
本設計の特徴はＬＥＤランプセットは緊急照明に用いられることである。ＡＣ電源が遮断された場合、ＤＣ電源の電池セットはＬＥＤランプセットに電力を提供することができるので、停電しない特性を保ち、安全照明の目的が達成される。
【００２６】
本考案の使用の流れ過程は次の如くである：ＡＣ電源が入力された場合、Ａ、Ｃ点は導通されてＬＥＤランプセットは点灯する。同時に、ＡＣ電源は充電電池に送られて蓄電の動作を行い、充電電池は充電指示ランプに連結されているので、充電指示ランプは点灯する。逆に、ＡＣ電源が遮断された場合、Ａ、Ｃ点は導通されなく、Ａ、Ｂ点が自動的に導通され、充電電池より電力が提供され、充電電池の電流は先ずＤＣからＡＣに転換する転換器を通り、ＤＣ電流をＡＣ電流に転換してから電源駆動装置へ伝送され、ＬＥＤランプセットに電源が提供されて発光する。
【００２７】
図６に示す上述構造を実現する本考案の回路構造を参照ください。前記回路構造は次の部材を含む。
【００２８】
ＡＣ電源１０、それはシステムが必要とする電力の提供に用いられる。ＡＣ電源１０はフューズＲ１１を経て導通され、過大電流の保護になる。
【００２９】
入力端整流器２０はＡＣ電源１０に連接し、入力したＡＣ電流をＤＣ電流に整流する。ＡＣ電源１０の後端に連接される入力端整流器２０は図面に示すようにブリッジ式整流回路である。
【００３０】
保護回路３０、入力端整流器２０からのＤＣ電流はこの保護回路３０を経て、入力された電流に過大電流または逆流が起こらないよう防止する。
【００３１】
電池セット４０、それはダイオードＤ２を経て保護回路３０からの電流を受け、電気エネルギーを電池セット４０に貯存する。
【００３２】
変圧器５０、それは電池セット４０から出力された電流を低電圧から高電圧に変換するものである。
【００３３】
入力端整流器２０のブリッジ式整流回路の出口端を保護回路３０の入力端に連接し、電流を電池セット４０に提供する。入力端整流器２０のブリッジ式整流回路の出口端は外にダイオードＤ３に接続されてトランジスターＴ１のエミッター端に連接され、トランジスターＴ１のコレクターは電池セット４０の出力端に連接される。トランジスターＴ１のベースはそれぞれ変圧器５０の両端に連接され、かつダイオードＤ４を経て入力端整流器２０に連接される。これにより、ＡＣ電源の出口端の電圧がゼロ（ｚｅｒｏ）の場合、電池は自動的に始動する。これは電池の出口端をトランジスターＴ１に連接し、トランジスターＴ１のエミッター電圧がゼロの場合は導通状態になるので、電池セット４０の電流はオンになって、電池セット４０は後端のＬＥＤランプセットに給電することができる。
【００３４】
リレー６０、それはＡＣ電源１０（ダイオードＤ１を経る）から、及び電池セット４０の直交流変換器からの電流を受けて電流の切り替えを行い、システムはＡＣ電源１０または電池セット４０からの電流を選択使用する。それから電流を次の級の交直流転換器（７０、７１）に送り、交流電気を直流電気に転換し、それをＬＥＤセット（８０、８１）に提供し、ＬＥＤセット（８０、８１）を駆動して発光させる。
【００３５】
各ＬＥＤの電流出力端は限流抵抗に直列連結され、それによって各ＬＥＤの電圧は安全許容範囲内にあって過大電流の現象にならない。リレーと各交直流転換器（７０、７１）の間にはキャパシタンス（Ｃ７、Ｃ８）及び抵抗（Ｒ８、Ｒ９）が並列連結され、すなわちキャパシタンス及び抵抗は並列連結の方式をもってリレー６０及び交直流転換器（７０、７１）の間に連接され、ＬＥＤへ進入する電圧が調整される。
【００３６】
交直流転換器（７０、７１）はブリッジ式整流回路が使用される。
【００３７】
入力端整流器２０はＡＣ電源１０に連接され、入力されたＡＣ電流をＤＣ電流に整流する。ＡＣ電源１０の後端に連接された入力端整流器２０は図面に示す如くのブリッジ式整流回路である。
【００３８】
図７に示すのは本考案のＬＥＤランプが直列に連接された例であり、本考案では合わせて８０個のＬＥＤランプが使用され、４０個を一組とし、例えばＤ１−Ｄ４０であり、各組はそれぞれＤ１、Ｄ２、Ｄ１１、Ｄ１２のように十の次組に分けられ、各次組は互いに直列接続される。各次組は更に二つの並列される小組、例えば子組Ｄ１、Ｄ２及びＤ１１、Ｄ１２に分けられる。各小組は限流抵抗に直列連結され、この限流抵抗は各ＬＥＤに分配された電圧をＬＥＤの安全作業範囲内に制限する。本考案の設計は各ＬＥＤに分配された電圧を操作に許容される安全電圧に制限することである。
【００３９】
以上の説明は本考案の実施可能の実施例に対して行った具体的説明であり、前記実施例は本考案の特許範囲を制限するものではなく、およそ本考案の技術精神を離脱しないで行った同等効果の実施または変更はすべて本考案の特許範囲内に含まれるものである。
【符号の説明】
【００４０】
１      ランプ台
１０      ＡＣ電源
１０１    収納空間
１０２    電池
１０３    スイッチ
１５      ＡＣ電源
２      ランプフード
２０      入力端整流器
２５      自動スイッチ
３      ランプ台回路基板
３０      保護回路
３０１    発光ダイオード
３５      充電電池
４      接続回路板
４０      電池セット
４５      充電指示ランプ
５      取り付け環
５０      変圧器
５５      外露スイッチ装置
６      底座継ぎ手
６０      リレー  
６５      直交流転換器
７０      交直流転換器
７１      交直流転換器
７５      電源駆動装置
８０      ＬＥＤセット
８１      ＬＥＤセット
８５      ＬＥＤセット
Ｃ７、Ｃ８    キャパシタンス
Ｄ１−Ｄ４０    ＬＥＤランプ
Ｒ８、Ｒ９    抵抗
Ｒ１１      フューズ
Ｔ１    トランジスター
【図１】
0003156917.tif 000003
【図２】
0003156917.tif 000004
【図３】
0003156917.tif 000005
【図４】
0003156917.tif 000006
【図５】
0003156917.tif 000007
【図６】
0003156917.tif 000008
【図７】
0003156917.tif 000009
【手続補正書】
【提出日】平成21年11月17日(2009.11.17)
【手続補正１】
【補正対象書類名】実用新案登録請求の範囲
【補正対象項目名】全文
【補正方法】変更
【補正の内容】
【実用新案登録請求の範囲】
【請求項１】
照明、緊急照明及び懐中電灯の照明に使われる多機能充電可能なＬＥＤランプセット（ｌａｍｐ  ｓｅｔ）であって、
電池の収納に用いられる収納空間を備え、それにはスイッチ（ｓｗｉｔｃｈ）が設けられ、かつスイッチはそれの外側に露出して電池のオン（ｏｎ）またはオフ（ｏｆｆ）の制御に用いられるランプ台と、
ランプ台に連結され、光が通せる材料から作られたランプフード（ｈｏｏｄ）と、
ランプ台内に設置され、かつ最少一つの発光ダイオード（ｄｉｏｄｅ）が設けられてあるランプ台回路基板と、
電池の正、負極と接触してランプ台内に設置され、ランプ台回路基板の下に位置し、かつランプボード（ｂｏａｒｄ）に連結されて電流を伝送し、ランプ台回路基板のＬＥＤランプセットを駆動して発光させることに用いられる接続回路板と、
ランプ台内にねじ付けられ、他の部材との連結に用いられる取り付け環と、
取り付け環に設置され、回路に電気を通して点灯させる底座継ぎ手とを備え、
ＡＣ給電またはＤＣ給電を用いてＬＥＤ発光の効果を達成し、底座継ぎ手は取り外し可能で電池を取り付けることができ、ランプセットは直接ＡＣ電源を受電してＬＥＤランプを発光させ、かつ同時にランプセット内の充電電池に対して充電を行うことができるので、ＡＣ電源が遮断された場合、ＤＣ電源の電池セットはＬＥＤランプセットに電力を提供して停電しない特性を保持することができることを特徴とする照明、緊急照明及び懐中電灯の照明に使われる多機能充電可能なＬＥＤランプセット。
【請求項２】
前記ランプセットは懐中電灯として随所に移動されて使用することができ、照明の目的が達成されることを特徴とする請求項１記載のＬＥＤランプセット。
【請求項３】
前記底座継ぎ手は、電線規格におけるＥ２６、Ｅ２７．２線またはＧＵ１０またはＰＬランプ中の何れか一種で、対応する入力源に転換することができることを特徴とする請求項１記載のＬＥＤランプセット。
【請求項４】
前記電池は電池または充電電池中の一種であることを特徴とする請求項１記載のＬＥＤランプセット。
【請求項５】
照明、緊急照明及び懐中電灯の照明に使われる多機能充電可能なＬＥＤランプセットであって、それが緊急照明に使われて停電しない特性を保持する場合に、
システム（ｓｙｓｔｅｍ）に必要とする電力の提供に用いられるＡＣ電源と、
ＡＣ電源が入力された場合、Ａ、Ｃ点は導通されて直接ＡＣ電源からＬＥＤランプセットに提供して発光させ、逆に、ＡＣ電源が遮断された場合、Ａ、Ｃ点は導通されなく、Ａ、Ｂ点が自動的に導通され、直接電池からＬＥＤランプセットに電源が提供されて発光させる自動スイッチと、
自動スイッチがオンされた場合、ＡＣ電源からの電力を受電して充電することができ、充電指示ランプに連接される充電電池と、
直流（ＤＣ）電源を交流（ＡＣ）電源に転換し、ＬＥＤの使用に用いられる直交流転換器と、
自動スイッチが起動された場合は切り替えられて懐中電灯ランプセットの発光オン、オフスイッチに使用される外露スイッチ装置と、
ＡＣ電源または直交流転換器からの電流を受電する最少一つの電源駆動装置と、
対応する電源駆動装置に連接され、電源駆動装置に駆動されて光を発出する最少一つのＬＥＤランプセットとを含む回路システムを備えることを特徴とする照明、緊急照明及び懐中電灯の照明に使われる多機能充電可能なＬＥＤランプセット。
【請求項６】
照明、緊急照明及び懐中電灯の照明に使われる多機能充電可能なＬＥＤランプセットであって、
入力端の整流器からのＤＣ電流がそれを経由し、入力された電流に過大電流及び逆電流が生じないことを防止する保護回路と、
保護回路からの電流を受電し、電気エネルギー（ｅｎｅｒｇｙ）を電池セットに儲存する電池セットと、
電池セットから出力された電流を低電圧から高電圧に転換する変圧器と、
ＡＣ電源及び電池セットの直交流転換器からの電流を受電して電流の切り替えを行い、システムはＡＣ電源または電池セットからの電流を選択使用し、それから電流を次の交直流転換器に伝送し、交流電気を直流電気に転換してＬＥＤセットに提供し、ＬＥＤセットを駆動してＬＥＤセットを発光させるリレー（ｒｅｌａｙ）とを備えることを特徴とする照明、緊急照明及び懐中電灯の照明に使われる多機能充電可能なＬＥＤランプセット。
【請求項７】
前記入力端の整流器のブリッジ（ｂｒｉｄｇｅ）式整流回路の出口端は保護回路の一入力端に連接されて電流を電池セットに提供し、前記入力端の整流器のブリッジ式整流回路の出口端は外にキャパシタンス（ｃａｐａｃｉｔａｎｃｅ）及びダイオードを経由してトランジスター（ｔｒａｎｓｉｓｔｏｒ）のエミッター（ｅｍｉｔｔｅｒ）端に連接され、トランジスターのコレクター（ｃｏｌｌｅｃｔｏｒ）は電池セットの出力端に連接し、トランジスターのベース（ｂａｓｅ）はそれぞれ変圧器の両端に連接し、かつダイオードを経てキャパシタンスを経て入力端の整流器に連接されることを特徴とする請求項６記載のＬＥＤランプセット。
【請求項８】
各ＬＥＤの電流出力端は限流抵抗に連接され、それによって各ＬＥＤの電圧は安全許容範囲内にあって過大電流の現象がないことを特徴とする請求項６記載のＬＥＤランプセット。
【請求項９】
前記リレーと各交直流転換器の間にキャパシタンス及び抵抗を並列し、前記キャパシタンス及び抵抗は並列方式をもってリレーと交直流転換器の間に連接され、それによってＬＥＤへ進入する電圧を調整することを特徴とする請求項６記載のＬＥＤランプセット。
【請求項１０】
前記交直流転換器はブリッジ式整流回路を使用したことを特徴とする請求項６記載のＬＥＤランプセット。
【請求項１１】
前記ＬＥＤランプは直列方式をもって排列され、それには合わせて８０個のＬＥＤランプが使用され、４０個を一組とし、各組は更に十の次組に分けられ、各次組は互いに直列接続し、各次組は更に二つの並列される小組に分けられ、各小組は限流抵抗に直列連結され、この限流抵抗は各ＬＥＤに分配された電圧をＬＥＤの安全作業範囲内に制限することを特徴とする請求項１記載のＬＥＤランプセット。